(57)【特許請求の範囲】
【請求項１】
縦長の本体板と、該本体板の裏面側に形成する互いに平行な上下一対の横向きの係合溝と、前記本体板の裏面側に形成する上下一対の取付脚とを備えてなり、前記本体板は、パネル板の裏面側の上下のフックを前記各係合溝の一端から挿入してパネル板の裏面側に収納するようにして装着可能であり、前記取付脚は、パネル板の裏面側に突出して支持フレームの上下の横材に弾発的に係合可能であることを特徴とする間仕切りパネルにおけるパネル板の取付具。
【請求項２】
前記本体板の片側には、前記各係合溝の一端を閉じる縦方向の補強板を形成することを特徴とする請求項１記載の間仕切りパネルにおけるパネル板の取付具。
【請求項３】
前記補強板には、切欠きを設けることを特徴とする請求項２記載の間仕切りパネルにおけるパネル板の取付具。
【請求項４】
前記各取付脚には、補強リブを形成することを特徴とする請求項１ないし請求項３のいずれか記載の間仕切りパネルにおけるパネル板の取付具。
【請求項５】
複数の横材を有する支持フレームと、請求項１ないし請求項４のいずれか記載の取付具を両端に装着するパネル板とを備えてなり、該パネル板は、前記取付具を介して前記支持フレームに固定することを特徴とする間仕切りパネル。
【請求項６】
前記取付具は、上下対称に形成することを特徴とする請求項５記載の間仕切りパネル。
【請求項７】
前記パネル板は、上辺、下辺を各３回裏面側に折り曲げて上下のフックを形成することを特徴とする請求項５または請求項６記載の間仕切りパネル。
【発明の詳細な説明】
【０００１】
【発明の属する技術分野】
この発明は、支持フレームに対し、パネル板を片面側から容易に確実に固定することができる間仕切りパネルにおけるパネル板の取付具と、それを使用する間仕切りパネルに関する。
【０００２】
【従来の技術】
事務所などの室内を任意に仕切るために、ブロックパネル式の間仕切りパネルが広く使用されている。
【０００３】
このものは、床面に立設する支持パネルの両面または片面に対し、適当な表面装飾を施したパネル板を取り付けて構成されている。なお、パネル板は、ねじ止めの他、裏面に立設するフックを支持フレームの係合スリットに挿入して係合させるフック止めによって固定するのが一般的である。
【０００４】
【発明が解決しようとする課題】
かかる従来技術によるときは、ねじ止めは、作業手数が過大となりがちである上、止めねじの頭部がパネル板の表面に露出するので、外観体裁がよくないという問題がある。また、フック止めは、パネル板の裏面側に複数のフックをあらかじめ立設しなければならないので、パネル板の製作コストがかさむ上、パネル板の取扱いが面倒であり、輸送効率を悪くしがちであるという問題が避けられない。
【０００５】
そこで、この発明の目的は、かかる従来技術の問題に鑑み、支持フレームに弾発的に係合する取付脚付きの取付具をパネル板に後付け装着することによって、パネル板の形状を最も単純にし、従来の問題を一掃することができる間仕切りパネルにおけるパネル板の取付具と、それを使用する間仕切りパネルを提供することにある。
【０００６】
【課題を解決するための手段】
かかる目的を達成するためのこの出願に係る第１発明の構成は、縦長の本体板と、本体板の裏面側に形成する互いに平行な上下一対の横向きの係合溝と、本体板の裏面側に形成する上下一対の取付脚とを備えてなり、本体板は、パネル板の裏面側の上下のフックを各係合溝の一端から挿入してパネル板の裏面側に収納するようにして装着可能であり、取付脚は、パネル板の裏面側に突出して支持フレームの上下の横材に弾発的に係合可能であることをその要旨とする。
【０００７】
なお、本体板の片側には、各係合溝の一端を閉じる縦方向の補強板を形成することができる。
【０００８】
また、補強板には、切欠きを設けてもよく、各取付脚には、補強リブを形成してもよい。
【０００９】
第２発明の構成は、複数の横材を有する支持フレームと、第１発明に係る取付具を両端に装着するパネル板とを備えてなり、パネル板は、取付具を介して支持フレームに固定することをその要旨とする。
【００１０】
なお、取付具は、上下対称に形成することができ、パネル板は、上辺、下辺を各３回裏面側に折り曲げて上下のフックを形成することができる。
【００１１】
【作用】
かかる第１発明の構成によるときは、本体板は、パネル板の上下のフックを利用して、パネル板の裏面側に収納するようにしてパネル板に装着可能であり、このとき、パネル板の裏面側に突出する取付脚は、支持フレームの上下の横材に弾発的に係合させることにより、パネル板を支持フレームの片面側から簡単に取り付けて固定することができる。なお、取付具は、パネル板の左右両端に装着するものとし、上下対称に形成することにより、パネル板の左右に共用可能とすることが好ましい。また、取付具は、適当な強度を有するプラスチック材料により一体成形するものとする。
【００１２】
本体板に形成する補強板は、本体板が長くても、本体板を有効に補強することができる上、係合溝の一端を閉じることにより、パネル板に対する本体板の装着深さを一定に規制することができる。なお、本体板の裏面側には、片側の補強板に加えて、任意の長さの縦方向の補強リブや、変形防止用の突部などを必要に応じて追加形成することができる。
【００１３】
補強板に切欠きを設ければ、切欠きを介してパネル板の裏面側に任意の電気配線ケーブルを通すことができる。
【００１４】
各取付脚は、補強リブを形成することにより、支持フレームの横材に対する係合強度を十分に大きくすることができ、パネル板が不用意に脱落したりする危険がない。
【００１５】
第２発明の構成によるときは、パネル板は、第１発明に係る取付具を介し、支持フレームの上下の横材の間に片面側から簡単に取り付けて固定することが可能である。なお、支持フレームの横材は、取付具の取付脚を係合させるための係合リブを十分な高精度に製作するために、アルミニウム材による押出形材を使用することが好ましい。また、横材を連結する左右の縦材も、同材による押出形材とすることにより、全体重量の軽量化を図ることができる。
【００１６】
取付具は、上下対称に形成することによって、同一形状のものを上下に反転させ、パネル板の左右に共用することができる。
【００１７】
パネル板は、上辺、下辺を折り曲げて上下のフックを形成し、左右の折曲げ加工を省略することによって、たとえばロールフォーミングによる高速連続成形が可能である。
【００１８】
【発明の実施の形態】
以下、図面を以って発明の実施の形態を説明する。
【００１９】
間仕切りパネルにおけるパネル板の取付具１０は、縦長の本体板１１と、本体板１１の裏面側に形成する上下一対の係合溝１２、１２、取付脚１３、１３とを備えてなる（図１）。ただし、図１（Ｂ）〜（Ｄ）は、それぞれ同図のＸ1 矢視相当図、Ｘ2 −Ｘ2 線、Ｘ3 −Ｘ3 線矢視相当拡大断面図である。
【００２０】
各係合溝１２は、両側の突条１２ａ、１２ｂを介し、本体板１１の裏面側の上端部、下端部において、互いに平行に横向きに形成されている。ただし、本体板１１の先端側の突条１２ａは、他側の突条１２ｂより低く、両者の頂部は、前者の係合溝１２側、後者の両側がそれぞれ斜めに形成されている。突条１２ａ、係合溝１２、突条１２ｂは、ほぼ同形の凹溝１２ｃ、突条１２ｄ、凹溝１２ｅとして本体板１１の表面側に表われており、凹溝１２ｃ、突条１２ｄ、凹溝１２ｅには、それらを共通に横切る補強リブ１２ｆ、１２ｆが形成されている。なお、突条１２ａの外側の一辺１２ａ1 は、先端縁部分が本体板１１の表面側に向けて滑らかに丸められている。
【００２１】
本体板１１の片側には、係合溝１２、１２の一端を閉じるようにして、縦方向の補強板１４、１４が形成されている。なお、補強板１４、１４には、本体板１１の裏面側に通じる大きな切欠き１４ａが設けられている。各補強板１４は、本体板１１の裏面側に各係合溝１２用の突条１２ｂと同一高さに突出しており、本体板１１の表面側に僅かに突出して連続するとともに、本体板１１の両端に僅かに突出している。また、各補強板１４と本体板１１との接続部分は、本体板１１を裏面側に軽く丸めることにより、本体板１１の表面側に変形Ｖ字状の小溝１４ｂが形成されており、小溝１４ｂは、補強リブ１４ｃ、１４ｃによって仕切られている。
【００２２】
取付脚１３、１３は、本体板１１の裏面側の上部、下部において、補強板１４、１４と反対側に偏移して、互いに背向するようにして高く突出している。各取付脚１３の先端部外面側には、断面山形の横向きの係合突部１３ａが形成され、各取付脚１３の内面側には、本体板１１の裏面に連続する三角形の補強リブ１３ｂ、１３ｂが形成されている。
【００２３】
本体板１１の裏面側には、取付脚１３、１３の中間位置に横向きの突部１５が形成され、突部１５は、係合溝１２、１２用の突条１２ｂ、１２ｂと同一高さとなっている。また、突部１５には、本体板１１の一辺に沿って縦方向の補強リブ１６、１６が付設されており、補強リブ１６、１６は、突部１５より低く形成されている。なお、突部１５、各補強リブ１６は、本体板１１の表面側において、それぞれ突部１５とほぼ同形の凹部１５ａ、補強リブ１６ｂ、１６ｂ付きの断面変形台形状の凹溝１６ａとして表われている。
【００２４】
取付具１０は、全体として上下対称に形成されており、たとえばＡＢＳ樹脂のようなプラスチック材料により一体成形されている。なお、取付具１０は、産業廃棄物を利用する再生プラスチック材料製であってもよい。
【００２５】
かかる取付具１０は、パネル板Ｐの左右両端に後付けして装着することができる（図２）。ただし、図２（Ｂ）は、同図（Ａ）の要部拡大斜視図である。
【００２６】
パネル板Ｐは、鋼板Ｐ1 の上辺、下辺を各３回裏面側に直角に折り曲げ、上辺、下辺に沿って短い外向きのフックＰ2 、Ｐ2 が形成されている。なお、鋼板Ｐ1 の表面側には、装飾用のクロスＰ3 が全面に貼着されており、クロスＰ3 は、鋼板Ｐ1 のすべての切断端面を覆うように、鋼板Ｐ1 の裏面側に折り返されている。そこで、取付具１０は、係合溝１２、１２の一端からパネル板ＰのフックＰ2 、Ｐ2 を横向きに挿入することにより、係合溝１２、１２用の突条１２ａ、１２ａをフックＰ2 、Ｐ2 内に収納し、本体板１１をパネル板Ｐの裏面側に収納するようにして、パネル板Ｐの左右に装着することができる（図３、図４）。なお、このとき、パネル板Ｐに対する各取付具１０の装着深さは、各係合溝１２の一端を閉じる補強板１４、１４によって規制され、補強板１４、１４は、パネル板Ｐの表面と同一高さとなってパネル板Ｐの先端を閉じることができる（図５）。
【００２７】
そこで、このようにして取付具１０、１０を左右の両端に装着したパネル板Ｐ、Ｐ…は、支持フレーム２０の両面に取り付けて固定することにより、ブロックパネル式の間仕切りパネルの各ブロックを構築することができる（図３、図５）。ただし、支持フレーム２０は、左右の縦材２１、２１を介し、止めねじ２３を使用して複数の横材２２、２２…を梯子状にねじ連結して構成されており、各縦材２１に添わせるフック金具２４を介して柱材２５にフック止めされている。また、支持フレーム２０の下端の横材２２には、幅木２６、２６が付設されており、柱材２５の下端には、レベル調節用のアジャストボルト２５ａが付設されている。
【００２８】
各パネル板Ｐは、たとえば左右の取付具１０、１０の下側の取付脚１３、１３を下側の横材２２に掛けて斜めに保持し（図６の二点鎖線）、そのまま垂直に起こすことにより（同図の矢印方向）、支持フレーム２０の片面側から上下の横材２２、２２の間に簡単に取り付けて固定することができる（同図の実線）。パネル板Ｐは、上下の取付脚１３、１３…がそれぞれの係合突部１３ａを介して上下の横材２２、２２の係合リブ２２ａ、２２ａに弾発的に係合して固定されるからである（図４）。ただし、図４には、上部の横材２２の一部、上部の取付脚１３、１３の一方のみが図示されている。
【００２９】
なお、このときのパネル板Ｐは、上下のフックＰ2 、Ｐ2 を形成する平行部分Ｐ2a、Ｐ2aに加えて、各取付具１０の裏面側に突出する突条１２ｂ、１２ｂ、突部１５の各頂面が縦材２１の外面に当接して位置決めされるとともに（図５）、裏面側から効果的に補強され、不用意に変形したりするおそれがない。すなわち、突部１５は、突条１２ｂ、１２ｂとともに、パネル板Ｐの変形防止用となっている。
【００３０】
また、以上のようにして構築する間仕切りパネルは、両面のパネル板Ｐ、Ｐの間に電気配線ケーブルＣを通すことができる（図７）。電気配線ケーブルＣは、横材２２の係合リブ２２ａ、２２ａを利用して装着する止め具２２ｂと、止め具２２ｂに掛ける結束材２２ｂ1 とを介して支持し、支持フレーム２０の縦材２１、柱材２５の箇所において、取付具１０の切欠き１４ａを左右に貫通させることができる。なお、図７において、電気配線ケーブルＣは、複数本であってもよく、光通信用の光ファイバケーブルであってもよい。また、止め具２２ｂは、支持フレーム２０を組み立てるに際し、適切な高さの横材２２に対してあらかじめ１〜２個以上を装着しておくものとする。
【００３１】
以上の説明において、取付具１０の縦方向の長さは、パネル板Ｐの縦幅に適合させるものとし、支持フレーム２０の横材２２、２２の間隔も、同様である。そこで、縦幅が異なる複数種類のパネル板Ｐ、Ｐ…を混用するときは、それに合わせて、縦方向の長さが異なる取付具１０、１０…を使用し、横材２２、２２…の間隔も、パネル板Ｐの縦幅に合わせて設定するものとする。また、横材２２、２２…は、支持フレーム２０の上端のものの下面、中間のものの上下面、下端のものの上面にそれぞれ係合リブ２２ａ、２２ａが精度よく形成されている（図４、図６、図７（Ａ））。そこで、横材２２、２２…は、それぞれ適切な断面形状の押出形材を使用することが好ましい。なお、パネル板Ｐ、Ｐ…は、支持フレーム２０の片面にのみ取り付けてもよい。
【００３２】
【発明の効果】
以上説明したように、この出願に係る第１発明によれば、上下一対の横向きの係合溝と、上下一対の取付脚とを縦長の本体板の裏面側に形成することによって、本体板は、パネル板の裏面側のフックを利用してパネル板に収納するように後付けして装着可能であり、取付脚は、支持フレームの上下の横材に弾発的に係合させ、パネル板を支持フレームの片面側から簡単に取り付けて固定することができるから、パネル板の形状を最も単純に形成し、組立時の作業性を大きく向上させ、製作コストを低下させるとともに、外観体裁も極めて良好な間仕切りパネルを構築することができるという優れた効果がある。
【００３３】
第２発明によれば、第１発明に係る取付具を使用することによって、第１発明の効果を全部実現することができる。
【図面の簡単な説明】
【図１】  全体構成説明図
【図２】  使用状態説明図
【図３】  間仕切りパネルの全体分解斜視図
【図４】  図３の要部拡大断面図（１）
【図５】  図３の要部拡大断面図（２）
【図６】  間仕切りパネルの組立説明図
【図７】  間仕切りパネルの使用状態説明図
【符号の説明】
Ｐ…パネル板
Ｐ2 …フック
１０…取付具
１１…本体板
１２…係合溝
１３…取付脚
１３ｂ…補強リブ
１４…補強板
１４ａ…切欠き
２０…支持フレーム
２２…横材
【図１】
0003882164.tif 000002
【図２】
0003882164.tif 000003
【図３】
0003882164.tif 000004
【図４】
0003882164.tif 000005
【図５】
0003882164.tif 000006
【図６】
0003882164.tif 000007
【図７】
0003882164.tif 000008